(57)【要約】【課題】プログラムを利用してサービスを提供する装置において、設定項目をリセットする際に、ユーザが希望するリセット対象を選択できる可能性を高める。【解決手段】ユーザは、Ｆａｘサービス画面１１０におけるＦａｘ番号欄１１２や、Ｅｍａｉｌサービス画面１６０におけるによる送信アドレス欄１６４などに設定を行っている。リセットボタン１７２が押されたタイミングで、ユーザに対し、リセット候補を選択する選択画面１８０が提示される。ここには、全サービス選択肢１８４、Ｆａｘサービス選択肢１８６、Ｅｍａｉｌサービス選択肢１８８が提示されており、ユーザが選択した選択肢に応じたリセットが行われる。【選択図】図２Ａ
2019057819.tif 000002
【特許請求の範囲】
【請求項１】
ユーザによる設定が可能な設定項目を備え、設定項目に従ってサービスを提供する提供手段と、
リセットのための予備的操作があった場合に、ユーザに対して、ユーザ設定された設定項目を１以上含みかつ全部は含まない部分的リセット範囲をリセット対象の候補として含んだリセット候補画面を提示し、当該リセット候補画面を通じてユーザにより指定されたリセット対象を受け付けるユーザインタフェイスと、
受け付けたリセット対象に属する設定項目をリセットするリセット手段と、
を含む、ことを特徴とするサービス提供装置。
【請求項２】
請求項１に記載のサービス提供装置において、
ユーザによる設定項目の設定は、階層構造をもつ画面において行われ、
前記リセット候補画面に提示されるリセット対象の候補には、さらに、ユーザが最後に設定した設定項目を含む設定画面階層で設定された全設定項目をリセット範囲とするものが含まれる、ことを特徴とするサービス提供装置。
【請求項３】
請求項１に記載のサービス提供装置において、
前記サービス提供手段が行うサービスには、ユーザにより設定された宛先の設定項目に従って、当該宛先を対象に通信を行う通信サービスが含まれ、
前記部分的リセット範囲には、前記通信サービスの通信対象として設定された全ての宛先の設定項目をリセット範囲とするものが含まれる、ことを特徴とするサービス提供装置。
【請求項４】
請求項１から３のいずれか１項に記載のサービス提供装置において、
前記リセット候補画面に提示されるリセット対象の候補には、さらに、ユーザにより設定された全設定項目をリセット範囲とするものが含まれる、ことを特徴とするサービス提供装置。
【請求項５】
請求項１に記載のサービス提供装置において、
前記部分的リセット範囲には、ユーザによって最後に設定された設定項目が含まれる、ことを特徴とするサービス提供装置。
【請求項６】
請求項１に記載のサービス提供装置において、
サービス提供手段は異なる複数のサービスを提供し、
前記部分的リセット範囲には１または２以上のサービスに属する全ての設定項目が含まれる、ことを特徴とするサービス提供装置。
【請求項７】
請求項１に記載のサービス提供装置において、
サービス提供手段は異なる複数のサービスを提供し、
前記部分的リセット範囲には、異なるサービスに属する設定項目が含まれる、ことを特徴とするサービス提供装置。
【請求項８】
請求項１に記載のサービス提供装置において、
前記ユーザインタフェイスは、設定画面を通じてユーザによる設定項目の設定を受け付け、前記予備的操作があった場合において、前記設定画面とは異なる画面表示をしているときに、当該設定画面において設定された設定項目を含む前記部分的リセット範囲をリセット対象の候補としてリセット候補画面を提示する、ことを特徴とするサービス提供装置。
【請求項９】
請求項８に記載のサービス提供装置において、
前記ユーザインタフェイスは、複数の設定画面を通じてユーザによる複数の設定項目の設定を受け付け、前記予備的操作があった場合において、いずれの前記設定画面とも異なる画面表示をしているときに、これらの設定画面において設定された設定項目を含む前記部分的リセット範囲をリセット対象の候補としてリセット候補画面を提示する、ことを特徴とするサービス提供装置。
【請求項１０】
請求項１に記載のサービス提供装置において、
前記ユーザインタフェイスは、
ユーザが選択したサービスについて、ユーザによる設定項目の設定を受け付ける設定画面を表示し、ユーザの操作に応じて表示する設定画面の表示態様を変更する変更手段と、他の表示を行った後に、当該サービスについての設定画面を再表示する場合に、ユーザが最後に操作した設定画面の表示態様を再現して表示する再現手段と、
を備え、
前記リセット候補画面に提示されるリセット対象の候補には、さらに、ユーザが最後に操作した設定画面の表示態様をリセットするものが含まれ、
前記ユーザインタフェイスは、当該リセット候補画面を通じて前記設定画面の表示態様のリセットを受け付けた場合において次回当該サービスについての設定画面を再表示するときは、表示態様をリセットした設定画面を表示する、ことを特徴とするサービス提供装置。
【請求項１１】
請求項１０に記載のサービス提供装置において、
前記設定画面は階層構造をもっており、
設定画面の表示態様のリセットには、設定画面の階層構造のリセットが含まれる、ことを特徴とするサービス提供装置。
【請求項１２】
請求項１に記載のサービス提供装置において、
ユーザによる設定項目の設定は、階層構造をもつ画面において行われ、
前記予備的操作は、ユーザ設定された設定項目を含む画面の階層から、それよりも上位の階層の画面へ移動する操作である、ことを特徴とするサービス提供装置。
【請求項１３】
請求項１２に記載のサービス提供装置において、
前記上位の階層は、複数のサービスの中から、前記ユーザ設定された設定項目に係るサービスを選択する選択肢が表示された階層である、ことを特徴とするサービス提供装置。
【請求項１４】
請求項１に記載のサービス提供装置において、
前記リセット対象の候補は、当該リセット対象を示す名称及びシンボルの少なくとも一方を用いて前記リセット候補画面に提示される、ことを特徴とするサービス提供装置。
【請求項１５】
画像データを生成するスキャナと画像データに基づいて印刷を行うプリンタの一方又は両方の画像処理ハードウエアと、
請求項１に記載のサービス提供装置と、
を備え、
前記提供手段は、前記設定項目に従って前記画像処理ハードウエアを操作することにより画像処理サービスを提供する、ことを特徴とする画像処理装置。
【請求項１６】
コンピュータを、
ユーザによる設定が可能な設定項目を備え、設定項目に従ってサービスを提供する提供手段と、
リセットのための予備的操作があった場合に、ユーザに対して、ユーザ設定された設定項目を１以上含みかつ全部は含まない部分的リセット範囲をリセット対象の候補として含んだリセット候補画面を提示し、当該リセット候補画面を通じてユーザにより指定されたリセット対象を受け付けるユーザインタフェイスと、
受け付けたリセット対象に属する設定項目をリセットするリセット手段と、
として機能させるためのプログラム。
【発明の詳細な説明】
【技術分野】
【０００１】
この発明は、サービス提供装置、画像処理装置およびプログラムに関する。
【背景技術】
【０００２】
プログラムを用いてサービスを提供する情報処理装置、すなわちサービス提供装置においては、サービスの内容を所望のものにするために、設定項目の設定値がユーザによってセットされるものがある。例えば、デフォルト値、不定値などが付与されていた初期値が、ユーザ指定された設定値に変更される。ここでいう設定値は、一般的なパラメータ値の他に、例えば相手先の電話番号、メールアドレスなどの宛先についての設定値、さらには、接続先のＵＲＬ、装置名などの接続先についての設定値などを含む広義の概念である。
【０００３】
こうしたサービス提供装置は設定値についてのリセットボタンを用意している場合がある。ここで、リセットとは、設定項目の設定値を初期化することをいう。リセットボタンとしては、例えば、装置の全サービスの設定値をリセットするものや、予め決められた特定範囲内の設定値を一括してリセットするリセットボタンなどが知られている。
【０００４】
下記特許文献１には、携帯端末において、複数のサービス（アプリケーション）の切り替えにおける制御技術が開示されているが、サービスのリセットに関しては言及されていない。
【０００５】
下記特許文献２には、画像形成装置の表示部に、装置の全てのカウンターをリセットするボタンや、特定のカウンターをリセットするボタンを表示する技術が開示されている。
【先行技術文献】
【特許文献】
【０００６】
【特許文献１】特許第５８５２０１７号公報
【特許文献２】特開２００２−１３９９６２号公報
【発明の概要】
【発明が解決しようとする課題】
【０００７】
サービスを提供装置に設けられているリセットボタンは、予め決められた対象をリセットするものである。決められた対象がユーザの希望するリセット対象とは一致しない場合、過大又は過少のリセットという事態が生じてしまう。これはリセット操作時における操作上の負担を増大させる要因となるものである。
【０００８】
本発明の目的は、予め決められたリセットが行われる場合に比べて、ユーザが希望するリセット対象を選択できる可能性を高めることにある。
【課題を解決するための手段】
【０００９】
請求項１に係る発明は、ユーザによる設定が可能な設定項目を備え、設定項目に従ってサービスを提供する提供手段と、リセットのための予備的操作があった場合に、ユーザに対して、ユーザ設定された設定項目を１以上含みかつ全部は含まない部分的リセット範囲をリセット対象の候補として含んだリセット候補画面を提示し、当該リセット候補画面を通じてユーザにより指定されたリセット対象を受け付けるユーザインタフェイスと、受け付けたリセット対象に属する設定項目をリセットするリセット手段と、を含む、ことを特徴とするサービス提供装置である。
【００１０】
請求項２に係る発明は、請求項１に記載のサービス提供装置において、ユーザによる設定項目の設定は、階層構造をもつ画面において行われ、前記リセット候補画面に提示されるリセット対象の候補には、さらに、ユーザが最後に設定した設定項目を含む設定画面階層で設定された全設定項目をリセット範囲とするものが含まれる、ことを特徴とするサービス提供装置である。
【００１１】
請求項３に係る発明は、請求項１に記載のサービス提供装置において、前記サービス提供手段が行うサービスには、ユーザにより設定された宛先の設定項目に従って、当該宛先を対象に通信を行う通信サービスが含まれ、前記部分的リセット範囲には、前記通信サービスの通信対象として設定された全ての宛先の設定項目をリセット範囲とするものが含まれる、ことを特徴とするサービス提供装置である。
【００１２】
請求項４に係る発明は、請求項１から３のいずれか１項に記載のサービス提供装置において、前記リセット候補画面に提示されるリセット対象の候補には、さらに、ユーザにより設定された全設定項目をリセット範囲とするものが含まれる、ことを特徴とするサービス提供装置である。
【００１３】
請求項５に係る発明は、請求項１に記載のサービス提供装置において、前記部分的リセット範囲には、ユーザによって最後に設定された設定項目が含まれる、ことを特徴とするサービス提供装置である。
【００１４】
請求項６に係る発明は、請求項１に記載のサービス提供装置において、サービス提供手段は異なる複数のサービスを提供し、前記部分的リセット範囲には１または２以上のサービスに属する全ての設定項目が含まれる、ことを特徴とするサービス提供装置である。
【００１５】
請求項７に係る発明は、請求項１に記載のサービス提供装置において、サービス提供手段は異なる複数のサービスを提供し、前記部分的リセット範囲には、異なるサービスに属する設定項目が含まれる、ことを特徴とするサービス提供装置である。
【００１６】
請求項８に係る発明は、請求項１に記載のサービス提供装置において、前記ユーザインタフェイスは、設定画面を通じてユーザによる設定項目の設定を受け付け、前記予備的操作があった場合において、前記設定画面とは異なる画面表示をしているときに、当該設定画面において設定された設定項目を含む前記部分的リセット範囲をリセット対象の候補としてリセット候補画面を提示する、ことを特徴とするサービス提供装置である。
【００１７】
請求項９に係る発明は、請求項８に記載のサービス提供装置において、前記ユーザインタフェイスは、複数の設定画面を通じてユーザによる複数の設定項目の設定を受け付け、前記予備的操作があった場合において、いずれの前記設定画面とも異なる画面表示をしているときに、これらの設定画面において設定された設定項目を含む前記部分的リセット範囲をリセット対象の候補としてリセット候補画面を提示する、ことを特徴とするサービス提供装置である。
【００１８】
請求項１０に係る発明は、請求項１に記載のサービス提供装置において、前記ユーザインタフェイスは、ユーザが選択したサービスについて、ユーザによる設定項目の設定を受け付ける設定画面を表示し、ユーザの操作に応じて表示する設定画面の表示態様を変更する変更手段と、他の表示を行った後に、当該サービスについての設定画面を再表示する場合に、ユーザが最後に操作した設定画面の表示態様を再現して表示する再現手段と、を備え、前記リセット候補画面に提示されるリセット対象の候補には、さらに、ユーザが最後に操作した設定画面の表示態様をリセットするものが含まれ、前記ユーザインタフェイスは、当該リセット候補画面を通じて前記設定画面の表示態様のリセットを受け付けた場合において次回当該サービスについての設定画面を再表示するときは、表示態様をリセットした設定画面を表示する、ことを特徴とするサービス提供装置である。
【００１９】
請求項１１に係る発明は、請求項１０に記載のサービス提供装置において、前記設定画面は階層構造をもっており、設定画面の表示態様のリセットには、設定画面の階層構造のリセットが含まれる、ことを特徴とするサービス提供装置である。
【００２０】
請求項１２に係る発明は、請求項１に記載のサービス提供装置において、ユーザによる設定項目の設定は、階層構造をもつ画面において行われ、前記予備的操作は、ユーザ設定された設定項目を含む画面の階層から、それよりも上位の階層の画面へ移動する操作である、ことを特徴とするサービス提供装置である。
【００２１】
請求項１３に係る発明は、請求項１２に記載のサービス提供装置において、前記上位の階層は、複数のサービスの中から、前記ユーザ設定された設定項目に係るサービスを選択する選択肢が表示された階層である、ことを特徴とするサービス提供装置である。
【００２２】
請求項１４に係る発明は、請求項１に記載のサービス提供装置において、前記リセット対象の候補は、当該リセット対象を示す名称及びシンボルの少なくとも一方を用いて前記リセット候補画面に提示される、ことを特徴とするサービス提供装置である。
【００２３】
請求項１５に係る発明は、画像データを生成するスキャナと画像データに基づいて印刷を行うプリンタの一方又は両方の画像処理ハードウエアと、請求項１に記載のサービス提供装置と、を備え、前記提供手段は、前記設定項目に従って前記画像処理ハードウエアを操作することにより画像処理サービスを提供する、ことを特徴とする画像処理装置である。
【００２４】
請求項１６に係る発明は、コンピュータを、ユーザによる設定が可能な設定項目を備え、設定項目に従ってサービスを提供する提供手段と、リセットのための予備的操作があった場合に、ユーザに対して、ユーザ設定された設定項目を１以上含みかつ全部は含まない部分的リセット範囲をリセット対象の候補として含んだリセット候補画面を提示し、当該リセット候補画面を通じてユーザにより指定されたリセット対象を受け付けるユーザインタフェイスと、受け付けたリセット対象に属する設定項目をリセットするリセット手段と、として機能させるためのプログラムである。
【発明の効果】
【００２５】
請求項１、１５または１６に係る発明によれば、あらかじめ決められたリセットが行われる場合に比べて、ユーザの希望に沿ったリセット対象を提示できる可能性が高まる。
【００２６】
請求項２に係る発明によれば、最後の画面階層についての設定項目をリセットすることの可否の指示が容易化される。
【００２７】
請求項３に係る発明によれば、宛先についての設定項目をリセットすることの可否の指示が容易化される。
【００２８】
請求項４に係る発明によれば、全リセットと他のリセットとを対比した上でリセット対象を決定することが可能となる。
【００２９】
請求項５〜７に係る発明によれば、ユーザの希望するリセット対象が選択できる可能性が高まる。
【００３０】
請求項８または９に係る発明によれば、別の画面にいる状態で、以前の設定画面についてのリセットが可能となる。
【００３１】
請求項１０または１１に係る発明によれば、表示態様のリセットを選択することが可能となる。
【００３２】
請求項１２または１３に係る発明によれば、画面階層の移動時にリセット対象を選択することが可能となる。
【００３３】
請求項１４に係る発明によれば、リセット対象の認識が容易化される。
【図面の簡単な説明】
【００３４】
【図１】実施形態に係る画像処理サービス装置の構成例を示す図である。
【図２Ａ】実施例１に係る画像表示の流れを示す図である。
【図２Ｂ】実施例１に係る画像表示の流れを示す図である。
【図３Ａ】実施例２に係る画像表示の流れを示す図である。
【図３Ｂ】実施例２に係る画像表示の流れを示す図である。
【図３Ｃ】実施例２に係る画像表示の流れを示す図である。
【図３Ｄ】実施例２に係る画像表示の流れを示す図である。
【図４Ａ】実施例３に係る画像表示の流れを示す図である。
【図４Ｂ】実施例３に係る画像表示の流れを示す図である。
【図４Ｃ】実施例３に係る画像表示の流れを示す図である。
【図５Ａ】実施例４に係る画像表示の流れを示す図である。
【図５Ｂ】実施例４に係る画像表示の流れを示す図である。
【図５Ｃ】実施例４に係る画像表示の流れを示す図である。
【発明を実施するための形態】
【００３５】
図１を参照して、サービス提供装置及び画像処理装置の一例である本実施形態に係る画像処理サービス装置１０について説明する。画像処理サービス装置１０は、プリント、コピー、スキャン、ＦＡＸ送受信、メール送受信、ＵＳＢ端子を介したデータ送受信などのサービス提供機能を複合的に備えた装置である。画像処理サービス装置１０は、例えば、オフィスに設置されて、複数のユーザによって利用される。ユーザは、ユーザ認証を受けることなく一般ユーザとして画像処理サービス装置１０を利用する場合がある。また、パスワードなどによるユーザ認証を受けて、特定のユーザとして画像処理サービス装置１０を利用する場合もある。ユーザが画像処理サービス装置１０を利用する際には、例えば、ＰＣ、携帯端末などの外部装置から、専用のアプリケーションを通じて、または、ウェブブラウザなどの汎用的なアプリケーションを通じて、画像処理サービス装置１０にアクセスする。そして、例えば、画像データのプリントについて、片面両面印刷、白黒カラー印刷などの設定項目を設定した上で、印刷指示を行う。また、ユーザは、画像処理サービス装置１０を直接操作して、利用する場合もある。例えば、ユーザは、画像処理サービス装置１０の所定位置に用紙をセットした上で、宛先の設定項目に相手の電子メールアドレスを設定した上で実行ボタンを押すことで、当該用紙のスキャン画像を添付した電子メールを宛先に送信する。
【００３６】
図１は、画像処理サービス装置１０の機能構成の概略を示す図である。画像処理サービス装置１０は、制御部２０、タッチパネル装置３０、スキャナ４０、プリンタ４２、通信部４４、ＵＳＢ端子４６、記憶部４８を備えており、これらの一部または全部を利用して、ユーザに対するサービスの提供を行っている。
【００３７】
制御部２０は、ＣＰＵ（中央演算装置）などの演算処理ハードウエアと、ＯＳ（オペレーションシステム）、アプリケーションソフトウエアなどのソフトウエアを利用して実現されており、画像処理サービス装置１０の各部の制御を行っている。この制御は、制御部２０にインストールされたオペレーションシステムとその上で起動される複数のプログラムなどを利用して行われている。制御部２０には、サービス制御部２２が設けられている。サービス制御部２２は、ユーザに提供する各種のサービスの制御を行っている。サービス制御部２２には、設定処理部２４とリセット処理部２６が設けられている。
【００３８】
設定処理部２４は、設定項目に設定される設定値についての処理を行う。設定項目とは、サービスを制御するために設定される項目をいう。設定項目には、サービスが起動された段階では、プログラムで設定された初期値（デフォルト値、不定値、ランダムに設定される値など）が設定される。この設定項目の中には、タッチパネル装置３０に表示される設定画面を通じたユーザ操作によって変更可能なものがある。ユーザは、このような設定項目について、数値、文字などを入力して設定値を設定する場合もあるし、提示された選択肢から特定のものを選択して設定を行う場合もある。サービス制御部２２は、設定値に従った動作を行って、ユーザにサービスを提供する。
【００３９】
設定処理部２４で行われた設定は、リセットが行われるまでは、その設定が保持される。すなわち、ユーザが他のサービスを並行して利用するような場合において、再度元のサービスに戻ったときには、元の設定が維持される。また、タッチパネル装置３０に表示される表示態様も、元の表示が再現される。
【００４０】
リセット処理部２６は、ユーザ設定された設定値をリセットする処理を行う（リセット手段の例である）。リセットとは、ユーザ設定前の状態に設定値を戻すことをいう。リセットは、様々な形で行われる。例えば、画像処理サービス装置１０が再起動（電源オフを経由した再起動、装置が備える機能を利用した再起動など）がなされた場合にリセットされる場合がある。画像処理サービス装置１０が一定時間操作されない場合、または、一連のサービス提供が完了した場合に、自動的にリセットが行われることもある。また、タッチパネル装置３０にリセットボタンが表示された場合に、ユーザがそのボタンを押すことで、当該ボタンに対応した設定値のリセットが行われる。
【００４１】
リセット処理部２６では、リセットボタンによって、固定的あるいは一律的なリセット処理を行う機能を備える。すなわち、予め決められた位置にリセットボタンを表示して、予め決められたリセットを行う機能を備える。具体的には、ホーム画面（これは全サービスをコントロールする画面とみなせる）に、全てのサービスの全ての設定項目についてリセットを行う全リセットボタンを配置する例が挙げられる。また、あるサービスの設定画面に、そのサービスの全設定項目または当該設定画面内の全設定項目をリセットするボタンを配置する例が挙げられる。さらに、あるサービスの設定画面において、設定項目を個別にリセットするボタンが配置される場合もある。個別にリセットするボタンは、例えば、ユーザが設定項目を設定したときに、その設定項目の近傍に表示される。そして、リセットボタンを押されると、その設定項目がリセットされる。これらのリセットでは、リセットの対象は様々である（全てのサービスの全設定項目、あるサービスの全設定項目、あるサービスのある設定項目など）。しかし、いずれのリセットでも、そのリセット対象は、固定的あるいは一律的である点で、固定的リセットということができる。固定的リセットでは、通常、ユーザは、リセットをしたい範囲に対応した画面に移動を行って、リセットボタンを押すことになる。リセット処理部２６では、このような固定的あるいは一律的なリセット処理を専ら行うことが可能である。
【００４２】
リセット処理部２６では、動的なリセット処理を行う機能も備える。動的なリセット処理は、部分的リセット範囲をリセット対象の候補として提示するための処理を行うものである。ここで、部分的リセット範囲とは、ユーザが設定した全設定項目ではなく、ユーザが設定した一部の設定項目のみをリセット対象とする範囲をいう。動的なリセット処理では、ユーザ操作による設定項目の設定状況、ユーザのサービス利用状況など、ユーザが画像処理サービス装置１０を利用している状況に応じてリセット対象の候補を決定する。つまり、リセット処理部２６では、ユーザに対して、いつも同じリセット対象候補を提示するのではなく、ユーザの操作状況に応じて決定したリセット対象の候補を提示する機能を備える。動的に選ばれるリセット対象の候補の例としては、複数のサービスの設定項目を設定している場合に、個別のサービス単位でリセットする態様が挙げられる。ただし、特定のサービスの設定画面で、当該特定のサービスの全設定項目を常に一律的にリセットする態様は、上に述べた固定的リセットである。動的なリセット処理では、別の画面などにおいて、複数のサービスの中から選ばれた特定のサービスについて、サービス単位でリセット候補として提示する。別の例としては、複数のサービスの設定項目を設定している場合において、複数のサービスに含まれる同じ属性をもつ特定の設定項目のみをリセット対象候補として提示する態様が挙げられる。さらには、ユーザが複数のサービスについて設定を行っている場合に、最後に設定したサービスをリセット対象候補として提示する態様、または、最後の設定したサービスはリセットせずにそれよりも古いサービスをリセット対象候補として提示する態様も挙げられる。また、ユーザがあるサービスについて設定項目を設定している場合に、そのサービス内において細分化されたリセット対象を提示する態様も考えられる。具体的には、サービス内において、宛先に関するものと、機能に関するものの両方の設定項目が設定さていた場合に、これらを切り分けてリセット対象とする例が挙げられる。
【００４３】
リセット処理部２６では、このようにして動的に決定したリセット対象の候補を、タッチパネル装置３０に、他の選択肢とともに提示させる。他のリセット対象の候補の中には、ユーザの操作状況に応じて決定した動的なリセットの候補が含まれていてもよい。また、全リセットのボタンのように、固定的リセットを行う候補が含まれていてもよい。
【００４４】
リセット候補の提示は、予め設定された操作があった場合（これは、予備的操作の例である。予備的操作とは、リセット候補が提示される契機となるユーザによって行われる操作をいう。）に行われる。例えば、ユーザがホーム画面、各サービスの設定画面などに設けられた固定的リセットボタンを押した場合に、ユーザにリセット候補を提示して、ユーザにリセット対象を選択させることができる。リセット候補の提示する契機は、リセットボタンの押下に限らない。例えば、リセットボタン以外のボタンの操作や、カメラを通じたジェスチャー入力が可能な場合における特定のジェスチャー操作をリセット候補の提示の契機とすることができる。具体例としては、ユーザが、あるサービスから、別のサービスに画面またはホーム画面に画面表示を遷移させるボタンを押した場合に、リセット対象を選択させる態様が挙げられる。また、あるサービスの設定画面が階層構造を持つ場合に、上位階層に移行する操作が行われたときにリセット対象を選択させるようにしてもよい。上位階層への移行操作は、例えば、上位階層を示すボタン、あるいは（上位階層から下位階層に移動している場合に）元の画面階層を示すボタンを押下することで行われる。ホーム画面に移行するためのホームボタンを押す操作も、上位階層へ移行する操作の一種であると言える。スワイプなどのジェスチャーにより、上位階層に移行する場合もある。さらに、ユーザがリセットボタンあるいは他のボタンを指で押す強さあるいは押下時間が特定の条件を満たすことをもって、リセット候補を提示する契機としてもよい。具体例としては、ユーザが固定的リセットを行うリセットボタンを通常想定される時間よりも長い時間（０．５秒以上、１秒以上、通常想定される時間の２倍以上、３倍以上など）押した場合、あるいは、通常想定されるよりも強い圧力（通常の想定値の２倍以上、３倍以上など）で押された場合に、リセット候補を提示する態様が挙げられる。
【００４５】
なお、リセット処理部２６では、設定項目の設定値の他に、タッチパネル装置３０における表示をリセットする機能を備える。例えば、あるサービスについて設定値がリセットされた場合に、そのサービスについての表示もリセットされ、画面表示状態は初期状態に戻る。しかし、設定項目のリセットと、画面表示のリセットは、別々に行われてもよい。例えば、設定項目の設定値はリセットせずに、画面表示される階層だけをリセットすることができる。具体例としては、あるサービスのトップ画面からたどった下位階層の画面で設定を行っていた段階で、画面表示の階層をリセットすると、次に当該サービスを選んだ場合に、設定値はそのまま維持されているが、画面表示されるのはトップ画面ということになる。また、同じ階層の中でも表示についてリセットする場合がある。例えば、スクロールによって設定画面の表示が初期状態から変更された場合に、リセットを行うことで、スクロール前の表示に戻す態様が挙げられる。こうした表示についてのリセットは、設定項目についてのリセット候補とともに選択肢として提示してもよい。
【００４６】
タッチパネル装置３０（これはユーザインタフェイスの例である）は、タッチパネル式のディスプレイからなるタッチパネル３２と、タッチパネル３２の枠に物理的に設けられたホームボタン３４を備える。タッチパネル３２は、液晶画面などによる表示画面を備えており、制御部２０からの指示に基づいて、ホーム画面、各サービスについての画面、ジョブ管理画面などを表示する。例えば、サービスについての表示は、そのサービスについてのウインドウを表示することで行われる。また、タッチパネル３２では、その表示に応じてユーザが指、入力ペンを接触させて操作を行うことができる。操作の例としては、ウインドウの表示を変更する操作（ウインドウを切り換える、重ねる、スライドさせる、大きさを変更するなど）、ウインドウ内の表示を変更する操作（スクロール操作、表示されたボタンなどを選択する操作、文字などを入力する操作など）、あるウインドウから上位階層や下位階層のウインドウを呼び出して移動する操作、ウインドウ内で設定可能な設定値を変更する操作などが挙げられる。タッチパネル装置３０では、ユーザ操作が行われた場合にはその情報を制御部２０に出力し、制御部２０では対応する処理を行って、必要に応じてタッチパネル３２の表示にフィードバックする。
【００４７】
ホームボタン３４は、タッチパネル３２の画面を、ホーム画面に設定するためのユーザ操作を受け付けるボタンである。ホーム画面には、複数のアプリケーションのアイコンが表示されており、アイコンを選択した場合には対応するアプリケーションが起動されるように設定されている。
【００４８】
スキャナ４０は、画像処理ハードウエアの一例であり、所定位置にセットされた紙媒体に光を走査して、反射光に対応した画像データを生成する処理を行っている。また、プリンタ４２も画像処理ハードウエアの一例であり、画像データを読み取って、紙媒体上に印刷を行う処理を行っている。画像データは、スキャナ４０から入力してもよいし（この場合はいわゆるコピー機能が実現する）、外部から入力してもよい。通信部４４は、外部との通信制御を行うものであり、通信サービスに利用される。通信は、電話、ＦＡＸ、インターネットプロトコルなどの各種プロトコルに従って行うことができる。例えば、スキャナ４０で生成した画像データをＦＡＸのプロトコルに基づいて宛先に送信することで、画像処理サービス装置１０はＦＡＸとして機能し、同じデータを電子メールのプロトコルに基づいて宛先に送信することで、画像処理サービス装置１０は、画像が添付された電子メールの送信装置として機能することになる。ＵＳＢ端子４６には、ＵＳＢメモリやＵＳＢケーブルが接続される。ＵＳＢ端子４６を通じて、画像データ等の入出力が行われる。記憶部４８は、制御部２０で利用する制御のためのプログラムやデータの記憶、スキャナ４０やプリンタ４２で利用する画像データの記憶、通信部４４で通信するためのアドレス帳の記憶など、様々なプログラムやデータの記録を行い、管理している。ネットワーク５０は、電話回線、インターネットなどの各種の通信回線であり、通信部４４はネットワーク５０に接続されている。
【００４９】
続いて、画像処理サービス装置１０の動作の例について簡単に説明する。ユーザは、例えば、タッチパネル装置３０を操作して画像処理サービス装置１０を利用する場合、ユーザはタッチパネル３２を操作して所望のサービスを選択する。タッチパネル３２は、制御部２０によって制御されており、待ち受け状態、あるいは、ホームボタン３４が押された状態などでは、ホーム画面が表示されている。このホーム画面には、画像処理サービス装置１０で提供可能な各種のサービスについてのアイコンが配置されており、アイコンを選択することで、そのサービスについてのウインドウが表示される。このウインドウでは、サービスにおける各種の設定項目について設定を行うことができる。例えば、スキャンのサービスを受ける場合には、予め設定された設定値をそのまま利用する場合もあるが、例えば、スキャンの解像度や、スキャンした画像データの方向などの設定項目をしたい場合には、設定値を変更する操作を行うことになる。設定は、一つのウインドウだけで行われる場合もあるが、複数のウインドウにまたがる場合もある。設定値についての処理は、設定処理部２４で行われる。設定を行った後、ユーザはタッチパネル３２で実行ボタンなどを押すことで、設定に応じたサービスを実施させることができる。例えばスキャンサービスは、サービス制御部２２の制御の下で、スキャナ４０が所定の動作を行うことで実行される。
【００５０】
ユーザは、画像処理サービス装置１０で、サービスを１度だけ利用する場合もあるが、連続して同じサービスを利用する場合、別のサービスを利用した上でまた元のサービスを利用する場合など、様々な利用をすることが考えられる。同一または別のサービスを複数回利用する場合において、設定値をリセットしたいときは、例えば、画像処理サービス装置１０に設けられた（図示省略）物理的な全リセットボタンを押すことも考えられる。しかし、ユーザは、以前の設定を部分的にリセットすることを望んでいる場合もある。そこで、リセット処理部２６では、例えば、ユーザがタッチパネル３２に表示されたなんらかのリセットボタンを押した場合に、全リセットとともに、現在の操作状況に応じたリセット候補範囲をタッチパネル装置３０に提示する。ユーザは、候補の中から自分の希望を満たす、あるいは、自分の希望に近い選択肢を選択することで、リセットを実施する。
【００５１】
［実施例１］
ここで、図２Ａ及び図２Ｂを参照して、画像処理サービス装置１０の動作の例について説明する。この例は、Ｆａｘサービス及び電子メールサービスをユーザが選択し、操作を行う場合を想定したものである。図２Ａ及び図２Ｂは、タッチパネル３２に表示される一連の画面の遷移について説明する図であり、図２Ａはリセットについての選択を表示するまでの段階を示しており、図２Ｂはリセットについての選択を行った後の段階を示している。
【００５２】
図２Ａ（ａ）は、タッチパネル装置３０のタッチパネル３２に表示されるホーム画面６０を示している。ホーム画面６０の上部には、ユーザ認証を受けてログインしたユーザのＩＤを示すＩＤ表示６２と、ホーム画面であることを示すホーム画面表示６４と、リセットボタンを示すリセットボタン表示６６が行われている。また、その下部には、ユーザが選択できる各種のサービスについてのアイコンが表示されている。具体的には、コピーサービスアイコン６８、Ｆａｘサービスアイコン７０、スキャンサービスアイコン７２、ＵＳＢサービスアイコン７４、アドレス帳サービスアイコン７６、ジョブ確認サービスアイコン７８、装置確認サービスアイコン８０、及び、電子メールサービスアイコン８２が表示されている。これらのアイコンに対応した各サービスは、画像処理サービス装置１０が提供するサービスの例である。このホーム画面６０は、こうした複数のサービスの中から所望のサービスを選択することができる画面であり、また、各サービスの設定画面よりも上位階層に位置する画面である。図２Ａ（ａ）の例では、ユーザは、ホーム画面６０において、Ｆａｘサービスアイコン７０を押したことを想定しており、Ｆａｘサービスアイコン７０は色が反転している。
【００５３】
図２Ａ（ｂ）は、図２Ａ（ａ）において、Ｆａｘサービスアイコン７０が選択された結果表示されるＦａｘサービス画面９０を示している。このＦａｘサービス画面９０は、Ｆａｘサービスの設定を行う設定画面のうち、最初に表示される画面であり、設定、表示の操作がいずれも行われていない初期状態となっている。Ｆａｘサービス画面９０の上部には、図２Ａ（ａ）のホーム画面６０と同じＩＤ表示６２が表示されており、ユーザのログイン状態が続いていることを示している。（なお、各図面では、同一または対応する構成には同一の番号を振っており、以下では重複した説明を省略する場合がある。）。Ｆａｘサービス画面９０の上部には、さらにＦａｘサービス画面であることを示すＦａｘサービス画面表示９２と、Ｆａｘを送信するための送信ボタン９４が表示されている。ただし、現在はＦａｘ送信の準備ができていないため、送信ボタン９４は、色が薄く表示され、ボタンは選択できない（Ｆａｘを送信できない）状態になっている。これらの下部には、Ｆａｘ番号欄９６とアドレス帳ボタン９８が表示されている。Ｆａｘ番号欄９６は、宛先属性をもつ設定項目の例である。Ｆａｘ番号欄９６には薄い色で「Ｆａｘ番号を入力してください」との表示がなされており、ユーザに宛先となるＦａｘ番号を促している。アドレス帳ボタン９８は、アドレス帳を開くためのボタンである。アドレス帳には予め登録された連絡先がリスト化されており、ユーザは、そのリストから選択を行うことでＦａｘ番号欄９６に宛先を設定することができる。その下には、番号ボタン１００と、記号ボタン１０２、一字取り消しボタン１０４、頻出記号ボタン１０６、及びエンターボタン１０８が表示されている。番号ボタン１００は、Ｆａｘ番号を入力するためのボタンであり、１〜０までの数字と「＊」「♯」が用意されている。また、記号ボタン１０２は、「，」「＝」「／」などの各種の記号を入力するためのボタンである。一字取り消しボタン１０４はＦａｘ番号欄９６への入力文字を一字消去するためのボタンである。頻出記号ボタン１０６はＦａｘ番号入力などで多く使われる「（」「」」「−」とスペース（一時空白）を入力するためのボタンである。エンターボタン１０８は、Ｆａｘ番号欄９６への入力を確定させるためのボタンである。
【００５４】
図２Ａ（ｃ）は、図２Ａ（ｂ）のＦａｘサービス画面９０に対してユーザが入力を行ったことで、表示されるに至ったＦａｘサービス下位画面１１０を示している。Ｆａｘサービス下位画面１１０は、Ｆａｘサービス画面９０の下位階層にある表示画面である。Ｆａｘサービス下位画面１１０では、送信が可能になっているために、送信ボタン１１１が濃く表示され、ボタンが選択可能となっている。Ｆａｘ番号欄１１２には、アドレス帳ボタン９８を通じて選択された「富士花子」の名前が宛先として入力されている。この名前は、アドレス帳において実際のＦａｘ番号と紐づけされている。その下には、Ｆａｘ機能設定欄１１３が表示されている。ユーザは図２Ａ（ｂ）に示したＦａｘサービス画面９０においてＦａｘ番号欄９６の入力を終えた後でエンターボタン１０８を押したため、下位階層の表示に切り換えられた。その結果、番号ボタン１００などに代えて、このＦａｘ機能設定欄１１３が表示されている。Ｆａｘ機能設定欄１１３には、Ｆａｘ機能についての設定項目の例であるプレビュー欄１１４、明暗欄１１５、片面／両面欄１１６、機能４欄１１７が表示されている。図示した例では、プレビュー欄１１４は初期値の「Ｏｆｆ」のままであり、事前に送信される画像をタッチパネル３２に表示させない設定がなされている。明暗欄１１５は、初期値の「標準」が変更されて「暗く＋２」が入力されており、Ｆａｘ送信される画像を＋２だけ暗くする設定がなされている。片面／両面欄１１６は、初期値である「片面」のまま変更されていない。機能４欄１１７は、さらになんらかの機能が初期値である設定４になっていることを示している。
【００５５】
この後に、ユーザは、タッチパネル装置３０のホームボタン３４を押している。その結果、タッチパネル３２は、図２Ａ（ｄ）に示したホーム画面１２０に切り替わっている。ホーム画面１２０では、図２Ａ（ａ）のホーム画面６０とほぼ同じであるが、反転されたＦａｘサービスアイコン７０が反転されていないＦａｘサービスアイコン１２２になっている。また、ユーザが電子メールサービスアイコン８２を選択したことで、色が反転した電子メールサービスアイコン１２４が表示されている。
【００５６】
図２Ａ（ｅ）では、選択によって表示された電子メールサービス画面１３０を示している。電子メールサービス画面１３０は、電子メールについての設定を行う設定画面であり、起動時に最初に表示される画面である。設定と表示の操作がいずれも行われていない初期状態となっている。電子メールサービス画面１３０の上部には、ＩＤ表示６２の他、電子メールサービス画面であることを示す電子メールサービス画面表示１３２と、電子メールを送信するための送信ボタン１３４が表示されている。送信ボタン１３４は、まだ送信設定ができていないために、色が薄く表示され、操作できないようになっている。その下には、送信アドレス欄１３６とアドレス帳ボタン１３８、Ｃｃアドレス欄１４０とＣｃ／Ｂｃｃ切り替えボタン１４２、添付ファイル欄１４４と添付ファイル選択ボタン１４６が表示されている。送信アドレス欄１３６とＣｃアドレス欄１４０は電子メールの宛先についての設定項目の例である。これらの下には、電子メール機能設定欄１４８が表示されている。電子メール機能設定欄１４８は、電子メール機能についての設定項目の例として、をなんらかの設定をするための機能１欄１５０（設定値は設定１）、機能２欄（設定値は１５２）、機能３欄（設定値は設定３）が表示されている。
【００５７】
図２Ａ（ｆ）は、電子メールについての設定が行われた電子メールサービス画面１６０が表示されている。電子メールはすでに送信可能な状態にあり、送信ボタン１６２は色が濃く表示され、タッチ操作ができる状態になっている。そして、送信アドレス欄１６４には「富士太郎」、Ｃｃアドレス欄１６６には「富士次郎」、添付ファイル欄１６８には「添付１．ｐｄｆ」が設定されている。電子メール機能設定欄１４８には設定はなされておらず、初期状態のままである。
【００５８】
ここで、ユーザは、再度ホームボタン３４を押しており、図２Ａ（ｇ）に示すホーム画面１７０が表示されている。このホーム画面１７０で、ユーザが、Ｆａｘサービスアイコン１２２を押した場合は、図２（ｃ）に示したＦａｘサービス下位画面１１０に戻ることになる。すなわち、表示状態もＦａｘについての設定状態も図２（ｃ）の状態に戻ることになる。同様に、ユーザが電子メールサービスアイコン８２を押した場合には、図２（ｆ）の電子メールサービス画面１６０に戻ることになる。しかし、この例では、ユーザは、リセットボタン１７２を選択している。その結果、図２Ａ（ｈ）に示す選択画面１８０が表示されている。
【００５９】
選択画面１８０は、リセット候補画面の例である。選択画面１８０には、「リセットしたいサービスを選択してください」とのメッセージ１８２の下に３つの選択肢が表示されている。すなわち、全サービス選択肢１８４、Ｆａｘサービス選択肢１８６、Ｅｍａｉｌサービス選択肢１８８である。これらは、リセット対象の候補であり、その名前によってリセット範囲を示している。全サービス選択肢１８４は、画像処理サービス装置１０で設定可能な全てのサービスについて、ユーザ設定をリセットする（全リセットを行う）ものである。現在の例では、ユーザはＦａｘサービス及び電子メールサービスについてのみ設定を行ったため、全サービス選択肢１８４が選択された場合には、実際にはＦａｘサービス及び電子メールサービスについての設定がともにリセットされることになる。また、Ｆａｘサービス選択肢１８６は、Ｆａｘサービスについての設定をリセットするものであり、Ｅｍａｉｌサービス選択肢１８８は電子メールサービスについての設定をリセットするものである。Ｆａｘサービス選択肢１８６はユーザがＦａｘサービスについての設定を行ったことを検出して表示されたものであり、Ｅｍａｉｌサービス選択肢１８８はユーザが電子メールサービスについての設定を行ったことを検出して表示されたものである。Ｆａｘサービス選択肢１８６と、Ｅｍａｉｌサービス選択肢１８８は、いずれも、ユーザの操作に応じて動的に表示された選択肢であり、かつ、全リセットではない部分的なリセット範囲を表す選択肢である。部分的リセット範囲は、ユーザが設定した設定項目の全部ではなく、一部のみをリセットするものである。この例では、ユーザがＦａｘサービス及び電子メールサービスの設定を行っているのに対し、Ｆａｘサービスと電子メールサービスの一方のサービスのみをリセットしようとする点で部分的なリセット範囲となっている。
【００６０】
ユーザは、リセットしたい選択肢をチェックする。チェックは、行わなくてもよいし、１つのみを選んでも、２以上を選んでもよい。選択画面１８０の下部には、取り消しボタン１９０とＯＫボタン１９２が表示されている。取り消しボタン１９０が押されると、選択肢がチェックされている場合にはそのチェックが取り消され、選択肢がチェックされていない場合には選択画面１８０を終了してホーム画面に戻る。また、ＯＫボタンが押されると、選択肢がチェックされていない場合にはリセットを行わずにホーム画面に戻り、選択肢がチェックされている場合にはその項目についてのリセットを行った上でホーム画面に戻る処理が行われる。
【００６１】
図２Ｂ（ａ）に図示した選択画面２００では、Ｅｍａｉｌサービス選択肢２０２が選択されてチェックがつけられている。そして、ユーザは、ＯＫボタン２０４を押して色を反転させている。その結果、電子メールサービスについての設定がリセットされ、図２Ｂ（ｂ）に図示したホーム画面２１０が表示される。ホーム画面２１０では、下部に「選択されたサービスがリセットされました」とのメッセージ２１２が表示されており、電子メールサービスの設定がリセットされたことをユーザに伝えている。
【００６２】
以上では、ホーム画面のリセットボタンが押されたことを契機として、全リセットと個別のサービスのリセットを選択可能な選択候補画面が提示される例を示した。ここで示した個別のサービスについてリセット対象を提示する態様は、リセット対象となる部分的リセット範囲を動的に決定して提示する例である。提示にあたっては、固定的リセットのひとつである全リセットのボタンも表示され、ユーザに複数の選択肢を与えている。個別のサービスのリセットは、当該サービス画面とは異なるホーム画面でリセットが行われたにもかかわらず、リセットの候補にしている。サービスについてのリセット候補の提示は、最後に操作されたサービスであるＥｍａｉｌサービスに加えて、その前に操作されたＦａｘサービスについても対象となっている。
【００６３】
なお、以上の例においては、リセットされたサービスでは、設定項目と表示態様の両方がリセットされ、次回そのサービスが選択された場合には、設定項目も表示もともに初期状態に戻ることを想定して説明を行った。しかし、設定項目の値を除いた表示だけ（例えば、表示階層、表示箇所、表示文字サイズなど）を初期状態に戻して、設定項目の設定はそのままとするようなリセットを行うようにしてもよい。また、設定項目の値は初期状態に戻すが、表示については（設定項目の値を除いて）もとに戻さないようにしてもよい。このように設定項目と表示の一方だけをリセットする場合には、選択画面において、リセットされる内容をわかりやすくユーザに説明すれば、ユーザの誤認識が防止される。設定項目と表示態様を別々にリセットする例については、以下の実施例２と実施例３で具体的に説明する。
【００６４】
［実施例２］
続いて、図３Ａ、図３Ｂ、図３Ｃ、図３Ｄを参照して、画像処理サービス装置１０の別の実施形態の例を説明する。この例では、ユーザがコピーサービスを選択して操作した上で、そのリセットを行うことを想定している。図３Ａは、リセットについての選択を表示するまでの段階を示しており、図３Ｂ、図３Ｃ、図３Ｄは、それぞれ異なる選択を行った場合について選択後の段階を示している。
【００６５】
図３Ａ（ａ）に示したホーム画面２２０では、ユーザはコピーサービスアイコン２２２を選択しており、表示の反転が行われている。そして、図３Ａ（ｂ）に示したコピーサービス画面２３０が表示されている。コピーサービス画面２３０は、コピーサービスについての設定を行う設定画面であり、コピーサービスを起動した場合に最初に表示される画面である。設定と表示の操作がいずれも行われていない初期状態となっている。画面上部には、ＩＤ表示６２、コピーサービス画面表示２３２、及びコピーをスタートさせるスタートボタン２３４が表示されている。そして、その下には、コピー枚数を設定する設定項目の例であるコピー枚数欄２３６（初期値は１枚）と、そこに数値を入力するためのテンキー２３８が表示されている。また、その下には、コピー機能設定欄２４０が設けられている。コピー機能設定欄２４０は、機能１欄（初期値は設定１）の他、複数の設定項目が設けられており、これらはスクロールをして表示するようになっている。ユーザは、この画面を操作してコピーについての設定を行っている。
【００６６】
図３Ａ（ｃ）に示したコピーサービス画面２５０は、ユーザが設定を行っている段階を例示している。このコピーサービス画面２５０は、図３Ａ（ｂ）のコピーサービス画面２３０が上側にスクロールされたものであり、コピー機能設定欄２４０は、機能１欄２４２は上側に隠れてしまい、下側に配置されている機能５欄２５２（初期値は設定５）、ページレイアウト欄２５４（初期値はＯｆｆ）、機能７欄２５６（初期値は設定７）が表示されている。またその下に、コピーサービスをリセットするＲｅｓｅｔＣｏｐｙボタン２５８、設定保存について操作するＳａｖｅボタン２６０、詳細なカスタマイズを行うＣｕｓｔｏｍｉｚｅボタン２６２、及びヘルプ画面を表示するＨｅｌｐボタン２６４が表示されている。ここでは、ユーザは、ページレイアウト欄２５４を選択している。
【００６７】
図３Ａ（ｄ）は、ページレイアウト画面２７０を示している。この画面は、図３Ａ（ｃ）に示したコピーサービス画面２５０の下位階層の画面である。上部には、この画面（ウインドウ）を閉じる閉じボタン２７２、ページレイアウト画面表示２７４、設定を決定するＯＫボタン２７６が表示されている。その下に設けられたページレイアウト設定欄２７８は、Ｏｆｆ、２ページ、４ページ、８ページの中からユーザが選択を行ってページレイアウトを設定するものである。例えば、２ページを選択した場合には、１枚の用紙の中に２ページ分の画像データが印刷される。また、隣のページレイアウトイメージ欄２８０には、設定されたページレイアウトの印刷イメージが表示される。さらにこれらの下には、ページレイアウトの詳細を設定する詳細設定欄２８２が設けられている。詳細設定欄２８２には、ページの並びを設定する順序欄２８４（初期値は右から左へ）と、画像の向きを設定する画像の向き欄２８６（初期値はポートレート）が含まれている。ここで、ユーザは、ページレイアウト設定欄２７８において、「４ページ」（つまり１枚の用紙に４ページ分の画像データを印刷する）を選択している。
【００６８】
続いてユーザは、ホームボタン３４を押している。しかし、直ちにホーム画面に遷移するのではなく、その前に図３Ａ（ｅ）に示した選択画面２９０が表示されている。この選択画面２９０では、リセット対象について３つの選択肢が表示されている。すなわち、全サービス選択肢１８４、本サービスで設定した機能選択肢２９２、最後に操作した画面階層選択肢２９４である。このうち、本サービスで設定した機能選択肢２９２は、コピーサービスにおいて設定した機能についてリセットをするものである。また、最後に操作した画面階層選択肢２９４は、表示される画面階層だけをリセットするものであり、動作の設定はリセットしないという選択肢である。
【００６９】
図３Ｂ（ａ）に示した例では、ユーザは、選択画面３００において、いずれの選択肢もチェックせずに、ＯＫボタン３０２を選択して色を反転させている。つまり、ユーザは、リセットを行わないことを選択している。続いて図３Ｂ（ｂ）に示すホーム画面２２０が表示されている。ユーザは、ホーム画面２２０でコピーサービスアイコン２２２を選択している。その結果、図３Ｂ（ｃ）に示したページレイアウト画面２７０が表示されている。これは、図３Ａ（ｄ）に示したページレイアウト画面２７０と同一である。つまり、図３Ａ（ｄ）に示したコピーサービスを最後に操作していた状態（言い換えれば時間的に最新の状態）が、リセットされることなく復元されている。復元は、設定値及び表示の両方においてなされている。
【００７０】
他方、図３Ｃ（ａ）の例では、ユーザは、選択画面３１０において、最後に操作した画面階層選択肢３１２をチェックした上で、ＯＫボタン３０２を押している。つまりユーザは、最後に操作した画面階層であるコピーサービスの画面階層をリセットする指示を行っている。この後、図３Ｃ（ｂ）に示すホーム画面２２０でユーザがコピーサービスアイコン２２２を選択したところ、図３Ｃ（ｃ）に示すようにコピーサービス画面２３０が表示されている。これは、図３Ａ（ｂ）に示したコピーサービス画面２３０と同一である。ただし、ユーザがこの画面をスクロールしたところ、図３Ｃ（ｄ）に示すコピーサービス画面３２０が表示されている。このコピーサービス画面３２０は、図３Ａ（ｃ）に示したコピーサービス画面２５０とは異なり、ページレイアウト欄３２２の値が「４ページ」にせて設定されている。つまり、図３Ａ（ｄ）において設定したページレイアウトの値はリセットされていないことがわかる。この例では、画面階層が初期状態に戻った（コピーサービス画面２３０において設定変更が表示に反映されていないため、図３Ａ（ｂ）に示したものと表示自体も同一であったが、設定変更された項目によっては表示が異なる）。しかし、設定自体は維持されている。
【００７１】
図３Ｄ（ａ）の例では、ユーザは、本サービスで設定した機能選択肢３３２と最後に操作した画面階層選択肢３１２をチェックした上で、ＯＫボタン３０２を押している。つまり、ユーザは、本サービスで設定した機能と最後に操作した画面階層の両方をリセットしようとしている。この場合、図３Ｄ（ｂ）に示したホーム画面２２０でユーザがコピーサービスアイコン２２２を選択すると、図３Ｄ（ｃ）に示すコピーサービス画面２３０が表示される。この画面は、図３Ｃ（ｃ）に示したコピーサービス画面２３０と同一である。しかし、画面をスクロールした場合には両者に違いが表れる。すなわち、図３Ｄ（ｄ）に示したコピーサービス画面３４０ではページレイアウト欄３４２は初期値のＯｆｆにリセットされており、図３Ｃ（ｄ）に示したコピーサービス画面３２０においてページレイアウト欄３２２が４ページに設定されたままであった状況とは異なる。この違いは、図３Ｄ（ａ）において、本サービスで設定した機能選択肢３３２も選択したことによる。なお、３Ｄ（ａ）における選択は、コピーサービスの全てをリセットすることに相当するものである。
【００７２】
以上の説明では、全サービスのリセット、個別のサービスのリセット、及び、画面階層に係る表示態様のリセットを候補とする例について説明した。画面階層のリセットは、当該画面階層から離れるタイミング（今の例ではホームボタンを押したタイミング）でユーザに問い合わせており、ユーザがどの画面階層のことを指しているか把握できるように配慮している。しかし、もちろん、それ以外のタイミングで画面階層など表示態様のリセットを問い合わせるようにしてもよい。
【００７３】
［実施例３］
次に、図４Ａ、図４Ｂ、図４Ｃを参照して、画像処理サービス装置１０の別の実施形態の例を説明する。この例では、ユーザがＦａｘサービスを選択して操作した上で、そのリセットを行うことを想定している。図４Ａは、リセットについての選択を表示するまでの段階を示しており、図４Ｂ、図４Ｃは、それぞれ異なる選択を行った場合について選択後の段階を示している。
【００７４】
図４Ａ（ａ）に示したホーム画面６０では、ユーザはＦａｘサービスアイコン７０を選択しており、図４Ａ（ｂ）に示すようにＦａｘサービス画面９０が表示されている。このＦａｘサービス画面９０は、図２Ａ（ｂ）に示したＦａｘサービス画面９０と同一である。その後、ユーザはＦａｘサービスについての設定を行っている。その結果、図４Ａ（ｃ）に示すように、Ｆａｘサービス下位画面３５０が表示されている。Ｆａｘサービス下位画面３５０では、Ｆａｘ番号欄３５２に「富士零子」の名前が宛先として入力されている。また、Ｆａｘ機能設定欄１１３では、明暗欄３５４の値が初期値の「標準」から「暗く＋１」に変更されている。その後、ユーザはホームボタン３４を押しており、図４Ａ（ｄ）に示す選択画面３７０が表示されている。選択画面３７０には４つの選択肢が表示されている。すなわち全サービス選択肢１８４、本サービスで設定した機能選択肢２９２、最後に操作した画面階層選択肢２９４、及び宛先情報選択肢３７２である。これらの選択肢のうち前の３つは図３Ａ（ｅ）で示した選択肢と同じである。宛先情報選択肢３７２は、設定されている宛先をリセットするための選択肢である。
【００７５】
図４Ｂ（ａ）の例では、ユーザは選択画面３８０において宛先情報選択肢３８２をチェックした上で、ＯＫボタン３０２を押している。そして、移行した図４Ｂ（ｂ）のホーム画面６０において、Ｆａｘサービスアイコン７０を選択したところ、図４Ｂ（ｃ）に示すＦａｘサービス画面９０が表示されている。このＦａｘサービス画面９０は、図４Ａ（ｂ）に表示されたＦａｘサービス画面９０と同一である。すなわち、Ｆａｘ番号欄９６では、「富士零子」の設定がリセットされており、初期状態と同じ画面が表示されている。ただし、宛先以外の設定はリセットされていない。図示していないが、図４Ｂ（ｃ）の状態でエンターボタン１０８を押した場合、明暗欄に「暗く＋１」が設定されたままとなっていることがわかる。
【００７６】
他方、図４Ｃ（ａ）の例では、選択画面４００において、ユーザは本サービスで設定した機能選択肢４０２と最後に操作した画面階層選択肢４０４を選択しているが、宛先情報選択肢３７２は選択することなく、ＯＫボタン３０２を押している。このとき、本サービスで設定した機能選択肢４０２には宛先の設定も含まれるため、宛先情報選択肢３７２を選択していないこととの不整合をなんらかのルールで解決する必要がある。ここでは、一般的な設定である本サービスで設定した機能選択肢４０２よりも、宛先情報選択肢３７２を優先するとして以下の説明を行う（つまり、宛先を除いて、本サービスでの設定をリセットするとして説明を行うが、他のルールを採用することも可能である。）。この結果、図４Ｃ（ｂ）に図示したホーム画面６０においてＦａｘサービスアイコン７０を選択した場合には、図４Ｃ（ｃ）に示すＦａｘサービス画面４１０が表示されている。すなわち、画面階層がリセットされたことで、図４Ａ（ｃ）で表示されていたＦａｘサービス下位画面３５０ではなく、その上位の階層であるＦａｘサービス画面４１０が表示されている。そして、宛先情報はリセットされなかったことから、Ｆａｘ番号欄３５２に設定された富士零子は依然として入力された状態となっている。なお、図示していないが、このＦａｘサービス画面４１０においてエンターボタン１０８を押した場合には、明暗欄が「標準」にリセットされていることがわかる。
【００７７】
以上の説明では、選択肢の選択方法について、二つの例のみを示した。他の選択肢を選択した場合については、実施例２で説明した態様との組み合わせを考えればよい。
【００７８】
［実施例４］
図５Ａ、図５Ｂ、図５Ｃを参照して、画像処理サービス装置１０の別の実施形態の例を説明する。この例では、ユーザがＦａｘサービスを選択して操作した上で、そのリセットを行うことを想定している。図５Ａは、リセットについての選択を表示するまでの段階を示しており、図５Ｂ、図５Ｃは、それぞれ異なる選択を行った場合について選択後の段階を示している。
【００７９】
図５Ａ（ａ）に示すＦａｘサービス下位画面４２０では、Ｆａｘ番号欄４２２に「富士薬子」が設定されている。また、Ｆａｘ機能設定欄１１３がスクロールされており、機能６欄４２４（初期値は設定６）が表示されている。そして、その下に、ＲｅｓｅｔＦａｘボタン４２６、Ｓａｖｅボタン４２８、Ｃｕｓｔｏｍｉｚｅボタン４３０、Ｈｅｌｐボタン４３２が表示されている。ユーザは、ここで、ＲｅｓｅｔＦａｘボタン４２６を押している。
【００８０】
その結果、図５Ａ（ｂ）に示す選択画面４４０が表示されている。選択画面４４０では二つの選択肢が表示されている。すなわち、本サービスで設定した機能選択肢２９２と、宛先情報選択肢３７２である。これまでの上記実施例１〜３では、全サービスについてのリセットが選択肢に含まれていたが、ここでは、Ｆａｘについてのリセットを指示するＦａｘＲｅｓｅｔボタン４２６が押されたため、リセットの最大の範囲をＦａｘサービスに限定したためである。
【００８１】
図５Ｂ（ａ）に示した例では、ユーザは、選択画面４５０において、宛先情報選択肢４５２を選択した上で、ＯＫボタン３０２を押している。これにより、図５Ｂ（ｂ）に示すように、Ｆａｘサービス画面９０が表示されている。このＦａｘサービス画面９０は、図２Ａ（ｂ）、図４Ａ（ｂ）などに示したＦａｘサービス画面９０と同一である。すなわち、宛先がリセットされて、Ｆａｘ番号欄９６が初期値化されている。ただし、エンターボタン１０８を押すことで、本サービスにおける他の設定はリセットされていないことがわかる。
【００８２】
他方、図５Ｃ（ａ）に示した例では、選択画面４６０において、本サービスで設定した機能選択肢４６２が選択され、ＯＫボタン３０２が押されている。そして、遷移したＦａｘサービス下位画面４７０では、Ｆａｘ番号欄４２２に設定された「富士薬子」はリセットされていないが、明暗欄４７２が「標準」にリセットされるなど、他の設定はリセットされている。
【００８３】
以上の例では、全サービスのリセットを候補に含めなかった。どのタイミングあるいはどの画面で、どの範囲についてのリセット対象を候補として提示するかは、ユーザがその段階で何をリセットすることを希望しているかを勘案して決定すればよい。
【００８４】
以上の説明では、サービス提供装置及び画像処理装置の例として、画像処理サービス装置について説明を行った。しかし、サービス提供装置についての発明は、情報処理ハードウエア（コンピュータ）を備え、ソフトウエアを動作させてサービスを行う装置において広く適用することができる。ハードウエアとしては、ＰＣ（パーソナルコンピュータ）などの情報処理装置、スマートフォンなどの携帯型の情報処理装置、さらには、情報処理装置が組み込まれた家電製品、事務機器、車両、産業機械など様々なものが挙げられる。
【００８５】
提供するサービスも特に限定されるものではなく、例えば、ソフトウエアによる情報処理に基づくサービス（例えば画像データの形式を変換する画像変換サービス、文書の言語を変換する翻訳サービスなど）を挙げることができる。また、外部機器との通信によって行われるサービス（例えば、電子メールを送受信する電子メールサービス、外部の検索サーバを通じて検索を行う検索サービスなど）も挙げられる。さらに、制御対象の機器と連携して行われる場合（例えば、プリンタやスキャナなどを制御して行う印刷サービスやスキャンサービスなど）も挙げられる。もちろん、これらを組み合わせたサービス（例えば、スキャンした結果を電子メールに添付して送信するサービス）であってもよい。
【００８６】
また上に例示したように、サービス提供装置は、自らの装置内で閉じる形でサービスを提供してもよいが、他の装置を利用してサービスを提供してもよい。少なくとも、サービス提供装置は、設定項目の設定あるいはリセットを通じて、これらのサービスを制御する機能を備える。
【符号の説明】
【００８７】
１０  画像処理サービス装置、２０  制御部、２２  サービス制御部、２４  設定処理部、２６  リセット処理部、３０  タッチパネル装置、３２  タッチパネル、３４  ホームボタン、４０  スキャナ、４２  プリンタ、４４  通信部、４６  ＵＳＢ端子、４８  記憶部、５０  ネットワーク、６０  ホーム画面、６２  ＩＤ表示、６４  ホーム画面表示、６６  リセットボタン表示、６８  コピーサービスアイコン、７０  Ｆａｘサービスアイコン、７２  スキャンサービスアイコン、７４  ＵＳＢサービスアイコン、７６  アドレス帳サービスアイコン、７８  ジョブ確認サービスアイコン、８０  装置確認サービスアイコン、８２  電子メールサービスアイコン、９０  Ｆａｘサービス画面、９２  Ｆａｘサービス画面表示、９４  送信ボタン、９６  Ｆａｘ番号欄、９８  アドレス帳ボタン、１００  番号ボタン、１０２  記号ボタン、１０４  一字取り消しボタン、１０６  頻出記号ボタン、１０８  エンターボタン、１１０  Ｆａｘサービス下位画面、１１１  送信ボタン、１１２  Ｆａｘ番号欄、１１３  Ｆａｘ機能設定欄、１１４  プレビュー欄、１１５  明暗欄、１１６  片面／両面欄、１１７  機能４欄、１２０  ホーム画面、１２２  Ｆａｘサービスアイコン、１２４  電子メールサービスアイコン、１３０  電子メールサービス画面、１３２  電子メールサービス画面表示、１３４  送信ボタン、１３６  送信アドレス欄、１３８  アドレス帳ボタン、１４０  Ｃｃアドレス欄、１４２  Ｂｃｃ切り替えボタン、１４４  添付ファイル欄、１４６  添付ファイル選択ボタン、１４８  電子メール機能設定欄、１５０  機能１欄、１６０  電子メールサービス画面、１６２  送信ボタン、１６４  送信アドレス欄、１６６  Ｃｃアドレス欄、１６８  添付ファイル欄、１７０  ホーム画面、１７２  リセットボタン、１８０  選択画面、１８２  メッセージ、１８４  全サービス選択肢、１８６  Ｆａｘサービス選択肢、１８８  Ｅｍａｉｌサービス選択肢、１９０  取り消しボタン、１９２  ＯＫボタン、２００  選択画面、２０２  Ｅｍａｉｌサービス選択肢、２０４  ＯＫボタン、２１０  ホーム画面、２１２  メッセージ、２２０  ホーム画面、２２２  コピーサービスアイコン、２３０  コピーサービス画面、２３２  コピーサービス画面表示、２３４  スタートボタン、２３６  コピー枚数欄、２３８  テンキー、２４０  コピー機能設定欄、２４２  機能１欄、２５０  コピーサービス画面、２５２  機能５欄、２５４  ページレイアウト欄、２５６  機能７欄、２５８  ＲｅｓｅｔＣｏｐｙボタン、２６０  Ｓａｖｅボタン、２６２  Ｃｕｓｔｏｍｉｚｅボタン、２６４  Ｈｅｌｐボタン、２７０  ページレイアウト画面、２７２  閉じボタン、２７４  ページレイアウト画面表示、２７６  ＯＫボタン、２７８  ページレイアウト設定欄、２８０  ページレイアウトイメージ欄、２８２  詳細設定欄、２８４  順序欄、２８６  画像の向き欄、２９０  選択画面、２９２  本サービスで設定した機能選択肢、２９４  最後に操作した画面階層選択肢、３００  選択画面、３０２  ＯＫボタン、３１０  選択画面、３１２  最後に操作した画面階層選択肢、３２０  コピーサービス画面、３２２  ページレイアウト欄、３３２  本サービスで設定した機能選択肢、３４０  コピーサービス画面、３４２  ページレイアウト欄、３５０  Ｆａｘサービス下位画面、３５２  Ｆａｘ番号欄、３５４  明暗欄、３７０  選択画面、３７２  宛先情報選択肢、３８０  選択画面、３８２  宛先情報選択肢、４００  選択画面、４０２  本サービスで設定した機能選択肢、４０４  最後に操作した画面階層選択肢、４１０  Ｆａｘサービス画面、４２０  Ｆａｘサービス下位画面、４２２  Ｆａｘ番号欄、４２４  機能６欄、４２６  ＲｅｓｅｔＦａｘボタン、４２８  Ｓａｖｅボタン、４３０  Ｃｕｓｔｏｍｉｚｅボタン、４３２  Ｈｅｌｐボタン、４４０  選択画面、４５０  選択画面、４５２  宛先情報選択肢、４６０  選択画面、４６２  本サービスで設定した機能選択肢、４７０  Ｆａｘサービス下位画面。
【図１】
2019057819.tif 000003
【図２Ａ】
2019057819.tif 000004
【図２Ｂ】
2019057819.tif 000005
【図３Ａ】
2019057819.tif 000006
【図３Ｂ】
2019057819.tif 000007
【図３Ｃ】
2019057819.tif 000008
【図３Ｄ】
2019057819.tif 000009
【図４Ａ】
2019057819.tif 000010
【図４Ｂ】
2019057819.tif 000011
【図４Ｃ】
2019057819.tif 000012
【図５Ａ】
2019057819.tif 000013
【図５Ｂ】
2019057819.tif 000014
【図５Ｃ】
2019057819.tif 000015